(57)【要約】  【課題】室内機と室外機を結んだ伝送線を利用し、室内で発生する音声を集音し、室外機のスピーカより室外の人に伝達するものを、簡単で安価で出来る空気調和機の音声伝達装置を提供する。  【解決手段】室内機２と、室内機２と伝送線５で結ばれる室外機１とを備えた空気調和機あって、室内機２に、室内機２が設置された室内の音声を集音する集音手段６を備え、室内機２または室外機１の何れか一方に、集音された音声信号を出力する音声出力回路７とを備えるとともに、室外機１に、音声信号を伝送線５により伝送する一方、集音された音声を出力する拡声手段８を備えた。【選択図】図２
2005037051.tif 000002
【特許請求の範囲】
【請求項１】
各種の制御信号を送信するリモコンと、室内機と、同室内機と伝送線で結ばれる室外機とを備えた空気調和機であって、
前記室内機に被空調室内の音声を集音する集音手段を備え、前記室内機または前記室外機の何れか一方に、前記集音手段からの音声信号を出力する音声出力回路を備えるとともに、前記室外機に、前記音声信号を前記伝送線により伝送する一方、前記音声出力回路からの音声を出力する拡声手段を備えてなることを特徴とする空気調和機。
【請求項２】
前記リモコンに、前記音声信号の伝送をオン・オフする切換スイッチを設けてなることを特徴とする請求項１記載の空気調和機。
【請求項３】
前記切換スイッチは前記空気調和機の運転、停止に関わらず作動してなることを特徴とする請求項１または２記載の空気調和機。
【請求項４】
前記切換スイッチがオン状態のとき、前記室内機に設けられた表示灯が点滅してなることを特徴とする請求項１、２または３記載の空気調和機。
【請求項５】
前記リモコンに、前記切換スイッチがオン状態のときに点灯するＬＥＤを設けてなることを特徴とする請求項１、２または３記載の空気調和機。
【請求項６】
前記音声信号の音量を可変可能とし、音量可変ボタンを前記リモコンに設けてなることを特徴とする請求項１記載の空気調和機。
【請求項７】
前記室外機に、前記音声信号の伝送をオン・オフする切換スイッチを設けてなることを特徴とする請求項１記載の空気調和機。
【発明の詳細な説明】
【技術分野】
【０００１】
本発明は、室内機と室外機を伝送線で結んだ空気調和機に係わり、より詳しくは、室内で集音した音声を室外機のスピーカより室外の人に拡声する音声伝達の技術に関する。
【背景技術】
【０００２】
従来より国内向け家庭用の空気調和機は室内機と室外機のセパレートタイプが主流である。この室内機と室外機間は電源線や伝送線で結ばれており、これを利用して空気調和機本来の機能以外の目的に活用することがいろいろ考えられている。例えば室外機に人検知用のセンサを設け、外からの侵入者を室内機に備えた出力部により、室内の人に知らせる防犯用として利用するものがある（例えば、特許文献１参照。）。
【０００３】
また、空気調和機設置後の試運転や故障時の自己診断時に、それに関わる人々に音声で伝達する技術がある（例えば、特許文献２参照。）。
【０００４】
この従来例は、空気調和機の室内機と室外機に相互に接続され、前記室内機と前記室外機の制御データを相互に伝送する伝送線と、前記伝送線に音声信号を重畳させる音声重畳回路と、前記伝送線に重畳された音声信号を取り出す音声出力回路と、前記制御データの送受信中を検知し送受信中であることを表示するデータ表示回路とを備えたものである。
【０００５】
即ち、図３と図４に示すように、室外機１及び室内機２ａ、２ｂにはそれぞれの運転制御装置３、４が付設され、室外機１と室内機２ａ、２ｂと相互に制御情報を交換する伝送線５を備えたものである。
【０００６】
図４は運転制御装置３もしくは４における音声伝送装置のブロック図である。６は伝送回路で、７は制御回路である。２０は、音声重畳回路で、９の送話器より入力された音声信号を２１の増幅器により増幅し、２２のダイオードブリッジを介して音声信号を伝送線５に重畳するものである。伝送線５に重畳された音声は、伝送線５を通して室外機１や他の室内機２に伝送される。２３は、音声出力回路で、２４の音声分離器により他の室外機１や室内機２より伝送線５を通して伝送された音声信号を取り出し、２５の音声増幅器により音声信号を増幅し、２６の受話器より音声信号を出力するものである。受話器としてはスピーカーが使用されている。
【０００７】
しかしこの技術は、試運転や故障時の自己診断時というレアケース用でありながら、室外機と室内機双方に送話器と受話器が必要でコストがかかり、購入者に対するメリットが殆どないという問題がある。
【０００８】
そこで、日常生活において、例えば、室外機の設置してあるベランダや庭に出て洗濯物や布団を干す家事や植木の水やり等をしている人に、室内の状況（赤ん坊が泣いている、電話が鳴っている、来客がある等）を安価で報知できるものが望まれていた。
【特許文献１】特開２００３−１４２５５号公報。
【特許文献１】特開平１０−１９３４９号公報（第１−４頁、図１−２）
【発明の開示】
【発明が解決しようとする課題】
【０００９】
本発明においては、上記の問題点に鑑み、室内機と室外機を結んだ伝送線を利用し、室内で発生する音声を集音し、室外機のスピーカより室外の人に伝達するものを、簡単で安価で出来る空気調和機を提供することを目的とする。
【課題を解決するための手段】
【００１０】
本発明は上述の課題を解決するため、各種の制御信号を送信するリモコンと、室内機と、同室内機と伝送線で結ばれる室外機とを備えた空気調和機であって、
前記室内機に被空調室内の音声を集音する集音手段を備え、前記室内機または前記室外機の何れか一方に、前記集音手段からの音声信号を出力する音声出力回路を備えるとともに、前記室外機に、前記音声信号を前記伝送線により伝送する一方、前記音声出力回路からの音声を出力する拡声手段を備えてなる構成となっている。
【００１１】
また、前記リモコンに、前記音声信号の伝送をオン・オフする切換スイッチを設けてなる構成となっている。
【００１２】
また、前記切換スイッチは前記空気調和機の運転、停止に関わらず作動してなる構成となっている。
【００１３】
また、前記切換スイッチがオン状態のとき、前記室内機に設けられた表示灯が点滅してなる構成となっている。
【００１４】
また、前記リモコンに、前記切換スイッチがオン状態のときに点灯するＬＥＤを設けてなる構成となっている。
【００１５】
また、前記音声信号の音量を可変可能とし、音量可変ボタンを前記リモコンに設けてなる構成となっている。
【００１６】
また、前記室外機に、前記音声信号の伝送をオン・オフする切換スイッチを設けてなる構成となっている。
【発明の効果】
【００１７】
以上説明したように、本発明による空気調和機によれば、スピーカより出力された室内からの音声を室外に居る人へ報知する構成とすることにより、室内の音を室外に伝達する機能を、生活者の生活シーンにあった使用頻度の高い機能として安価に提供できる。また、リモコンにより季節を問わず簡単に使え、音声伝達機能の解除忘れ防止機能により安心して使用でき、かつ室内でのトラブル発生時に室外に助けを求める時にも使用できる空気調和機となる。
【発明を実施するための最良の形態】
【００１８】
以下、本発明の実施の形態を、添付図面に基づいた実施例として詳細に説明する。
【実施例１】
【００１９】
図１は本発明による音声伝達装置を備えた空気調和機の構成図、図２は本発明による音声伝達装置のブロック図である。
【００２０】
図１および図２において、１は冷媒ガスの圧縮機、室外熱交換器や室外ファンからなり、室外に設置された室外機、２は室内熱交換器や室内ファンからなる室内機、３は空気調和機の運転、停止や各運転モードを切換え操作する操作信号を送信するリモコン（ワイヤレスリモコンともいう）である。
【００２１】
前記室内機２と前記室外機１とは、冷凍サイクルを構成する冷媒配管４の他に電源線（図示せず）や伝送線５により接続されている。そして、前記室外機１は前記室内機２から電力の供給を受けて作動し、前記室内機２との通信を行う。
【００２２】
前記室内機２には、同室内機２が設置された室内の音声を集音する集音手段としての集音マイク６が備えられ、前記室内機２または前記室外機１の何れか一方（本実施例では室外機１）に、前記集音された音声信号を出力する増幅器を含む音声出力回路７が備えられるとともに、前記室外機１に、前記集音された音声を出力する拡声手段としてのスピーカ８を備えてなる構成となっている。
【００２３】
前記集音マイク６で集音されたアナグロの音声信号は、マイコンからなる制御回路９でＡ／Ｄ変換され、伝送回路10を経由して前記伝送線５により、前記室外機１の前記音声出力回路７で増幅されて、前記スピーカ８より出力され、室外に居る人へ音声が伝達される。この入力と出力を一方向とする構成とすることにより、安価なシステムとなる。
【００２４】
また、前記室内機２側に備えられた前記リモコン３に、前記音声信号の伝送をオン・オフする切換えスイッチ3aを設ける。この動作は、リモコン３を操作すると送信部3cより室内機２の受光部3dに信号が送られ、この信号のオン・オフにより、前記制御回路９の音声信号の伝送を遮断、通電する。この構成により、人が室外に出て作業をしようとする時に切換えスイッチ3aを押すだけで音声伝達機能が作動し、室内に戻り再度切換えスイッチ3aを押すことで簡単に音声伝達機能が除される。
【００２５】
また、前記切換えスイッチ3aを空気調和機の運転、停止に関わらず作動することができる構成とすることにより、空気調和機を使用しない時期においても音声伝達機能が使用でき、簡単にいつでも使え利便性が向上する。
【００２６】
また、前記室内機２のＬＥＤによる表示部11に、前記切換スイッチ3aがオン状態のときにのみ点滅するＬＥＤを設けてなる構成とすることにより、室外に出て作業をしている人が室内に戻った時、音声伝達機能の解除の忘れを防止するのに非常に有効な手段となる。
【００２７】
また、前記リモコン３に、前記切換スイッチ3aがオン状態のときにのみ点灯するＬＥＤを設けてなる構成とすることにより、さらに確実な解除忘れの防止となる。
【００２８】
また、前記音声信号の音量を可変可能とし、音量可変ボタン3bを前記リモコン３に設ける。この動作は、リモコン３を操作すると制御回路９に設けられた電子ボリュームにより音声信号の音量を可変する。この構成により、空気調和機を運転している時は音量を大きくし、停止している時は音量を小さくして使用でき周囲への騒音を減少することができる。
【００２９】
以上に説明したように、前記室内機２に、同室内機２が設置された室内の音声を集音する集音マイクを備え、前記室外機１に、前記集音された音声信号を出力する音声出力回路７とスピーカ８を備え、前記室外機１に、前記音声信号を前記伝送線５により伝送し、スピーカ８より出力された室内からの音声を室外に居る人へ報知する構成とすることにより、室内の音を室外に伝達する機能を、生活者の生活シーンに合った使用頻度の高い機能として安価に提供でき、リモコンにより季節を問わず簡単に使え、音声伝達機能の解除忘れ防止機能により安心して使用でき、かつ室内でのトラブル発生時に室外に助けを求める時にも使用できる空気調和機となる。
【図面の簡単な説明】
【００３０】
【図１】本発明における空気調和機の構成図である。
【図２】本発明における空気調和機のブロック図である。
【図３】従来例における空気調和機のシステムの概略構成図である。
【図４】従来例における空気調和機の構成図である。
【符号の説明】
【００３１】
１  室外機
２  室内機
３  リモコン
3a  切換スイッチ
3b  音量可変ボタン
3c  送信部
3d  受光部
４  冷媒配管
５  伝送線
６  集音マイク
７  音声出力回路
８  スピーカ
９  制御回路
10  伝送回路
11  表示部
【図１】
2005037051.tif 000003
【図２】
2005037051.tif 000004
【図３】
2005037051.tif 000005
【図４】
2005037051.tif 000006